(57)【要約】【課題】ヒンジ機構を利用した複合細線画像とストライプ状のスクリーンとの相対的な摺動による可変画像表示体において、複合細線画像の担持体とスクリーンの担持体との間の隙間の発生を効果的に防止でき、もって画像の鮮明な表示を可能とする可変画像表示体を提供する。【解決手段】台紙１０と窓枠シート４０とをヒンジ機構５０側の端部近傍かつ天地両端部近傍の２箇所で接合すると共に、その接合部４３よりもヒンジ機構５０とは反対側の、台紙１０と窓枠シート４０とが接合されていない開口部４４を通じて、両者間に収納されたスクリーン３１（又は複合細線画像担持部）とヒンジ機構５０とを連接桿部３５及び接続部３４を介して接続し、ヒンジ機構５０のヒンジ作用による駆動力を連接桿部３５及び接続部３４を介してスクリーン３１等に伝達して摺動させる可変画像表示体である。【選択図】図４
2010181772.tif 000002
【特許請求の範囲】
【請求項１】
複数種類の原画像のそれぞれを所定の細線画像幅に分割した細線画像から前記原画像の種類の数に等しい所定数毎に選択した細線画像を、各原画像に由来する細線画像が前記細線画像幅の前記所定数倍に等しい所定周期で繰り返し現れるように、一定の順序で相互に隣接させて配列して構成してなる複合細線画像を表面に担持した台紙と、
前記台紙上に配置された、前記細線画像幅に等しい幅の透視可能な透視部と、前記細線画像幅の前記所定数倍よりも前記細線画像幅だけ狭い幅の透視不可能な隠蔽部とを、前記細線画像の配列方向と同一方向に相互に隣接させて交互に配列してなる、表示すべき画像の寸法よりも大きい寸法のスクリーンを担持したスクリーン担持シートと、
前記スクリーン担持シート上に配置された、少なくとも前記細線画像の配列方向と直交方向に前記スクリーンよりも大きい寸法を有し、前記台紙との間に前記スクリーンの収納空間を形成すると共に、該収納空間上の部分に、表示すべき画像の寸法と等しいか又はこれより大きい寸法の窓部が穿設された窓枠シートと、
を少なくとも具備してなり、
前記窓枠シートは、前記台紙に固定されており、
前記台紙の、前記細線画像の配列方向の片側の端部に形成された、該配列方向に直交する方向に延在する折曲線を軸として揺動可能なヒンジ機構により、前記スクリーンを台紙に対して該配列方向に摺動させることによって、前記複数枚の原画像のそれぞれに由来する画像が所定の順序で順次表示される可変画像表示体において、
前記窓枠シートは、前記収納空間上の部分以外の部分であって、前記スクリーンの摺動方向に直交する方向の両端部の近傍の、該摺動方向に前記ヒンジ機構側の端部の近傍の部分に、前記台紙と接合された接合部を有すると共に、前記摺動方向に直交する方向の少なくとも一方の端部の、該摺動方向に前記接合部より前記ヒンジ機構とは反対側の部分に、前記台紙と接合されることなく、前記台紙との間に、前記収納空間に連通する開口部が形成されており、
前記スクリーン担持シートは、前記スクリーンと、前記窓枠シートの前記開口部を隔てて前記スクリーンとは反対側に配置され、前記ヒンジ機構に連接されて該ヒンジ機構のヒンジ作用により前記摺動方向に駆動される連接桿部と、前記開口部において前記スクリーンと前記連接桿部とを接続する接続部とを具備することを特徴とする可変画像表示体。
【請求項２】
台紙と、
前記台紙上に配置された、複数種類の原画像のそれぞれを所定の細線画像幅に分割した細線画像から前記原画像の種類の数に等しい所定数毎に選択した細線画像を、各原画像に由来する細線画像が前記細線画像幅の前記所定数倍に等しい所定周期で繰り返し現れるように、一定の順序で相互に隣接させて配列して構成してなる複合細線画像を表面に担持した複合細線画像担持部を備えた複合細線画像担持シートと、
前記複合細線画像担持シート上に配置された、前記細線画像幅に等しい幅の透視可能な透視部と、前記細線画像幅の前記所定数倍よりも前記細線画像幅だけ狭い幅の透視不可能な隠蔽部とを、前記細線画像の配列方向と同一方向に相互に隣接させて交互に配列してなる、表示すべき画像の寸法よりも大きい寸法のスクリーンを担持したスクリーン担持シートと、
前記スクリーン担持シート上に配置された、少なくとも前記細線画像の配列方向と直交方向に前記複合細線画像担持部及び前記スクリーンよりも大きい寸法を有し、前記台紙との間に前記複合細線画像担持部及び前記スクリーンの収納空間を形成すると共に、該収納空間上の部分に、表示すべき画像の寸法と等しいか又はこれより大きい寸法の窓部が穿設された窓枠シートと、
を少なくとも具備してなり、
前記窓枠シートは、前記台紙に固定されており、
前記スクリーン担持シートは、前記窓枠シートに固定されており、
前記台紙の、前記細線画像の配列方向の片側の端部に形成された、該配列方向に直交する方向に延在する折曲線を軸として揺動可能なヒンジ機構により、前記複合細線画像担持シートの複合細線画像担持部を台紙に対して該配列方向に摺動させることによって、前記複数枚の原画像のそれぞれに由来する画像が所定の順序で順次表示される可変画像表示体において、
前記窓枠シートは、前記収納空間上の部分以外の部分であって、前記複合細線画像担持シートの複合細線画像担持部の摺動方向に直交する方向の両端部の近傍の、該摺動方向に前記ヒンジ機構側の端部の近傍の部分に、前記台紙と接合された接合部を有すると共に、前記摺動方向に直交する方向の少なくとも一方の端部の、該摺動方向に前記接合部より前記ヒンジ機構とは反対側の部分に、前記台紙と接合されることなく、前記台紙との間に、前記収納空間に連通する開口部が形成されており、
前記複合細線画像担持シートは、前記複合細線画像担持部と、前記窓枠シートの前記開口部を隔てて前記複合細線画像担持部とは反対側に配置され、前記ヒンジ機構に連接されて該ヒンジ機構のヒンジ作用により前記摺動方向に駆動される連接桿部と、前記開口部において前記複合細線画像担持部と前記連接桿部とを接続する接続部とを具備することを特徴とする可変画像表示体。
【請求項３】
前記開口部と、前記連接桿部と、前記接続部とは、前記摺動方向と直交方向に両側に設けられていることを特徴とする請求項１又は請求項２に記載の可変画像表示体。
【請求項４】
前記ヒンジ機構の軸である折曲線と前記接続部の前記ヒンジ機構側の端部との間の距離は、前記ヒンジ機構の軸である折曲線と前記窓枠シートの窓部の前記ヒンジ機構とは反対側の端部との間の距離の３分の１以上であることを特徴とする請求項１乃至請求項３のいずれかに記載の可変画像表示体。
【発明の詳細な説明】
【技術分野】
【０００１】
本発明は、簡単な操作によって同一の表示部に複数種類の画像を順次切り換えて表示することができる可変画像表示体に関するものである。
【背景技術】
【０００２】
複数種類の原画像を細線状に分割して周期的に配列した複合細線画像の上に、細線状の透視部と隠蔽部とを交互に配列したストライプ状のスクリーンを重ね、両者を相対的に摺動させることによって、表示部に表示される画像が瞬時に全く異なる画像に変化するように表示されたり、又は連続的に遷移する動画として表示されたりする可変画像表示体は、特許文献１〜４に示される様に、夙に周知である。係る可変画像表示体は、簡単な構造で何ら特別な材料や電源・制御装置等を必要とせずに画像の変化や動画の表示が可能な表示体として、玩具や絵本、趣味・娯楽用品、宣伝販促物その他の各種の用途に使用されている。
【０００３】
係る可変画像表示体における複合細線画像とストライプ状のスクリーンとの相対的な摺動は、簡易なものでは例えば特許文献１〜３に示される様に、複合細線画像の担持体とスクリーンの担持体とを人が手で持って直接の手動操作により行われるものも多い。しかしこの方法では、両者の位置合わせを精密に行ったり、両者を滑らかに摺動させたりすることが難しいために、複数種類の画像の中から所望の画像のみを綺麗に表示させたり、動画を滑らかに表示させたりすることは、慎重な手操作を必要とするのでやや難しい。特に、画像の変化のパターン数をより増したり、動画をより滑らかに表示させたりするために、原画像の枚数を増しつつ、表示される画像の精細度を低下させないために、細線画像をより細線化し、スクリーンの周期をより細かくするほど、この問題はより顕著となる。
【０００４】
そこで、このような問題を解決するものとして、係る可変画像表示体における台紙の、複合細線画像とスクリーンとの相対的摺動方向の一方側の端部に、該摺動方向と直行する直線状の折曲線を介して折り曲げる様に揺動可能な操作片部を延設したヒンジ機構を設け、該操作片部における該折曲線との間に僅かな所定の間隔を隔てた位置（該折曲線よりも該操作片部の端部側である場合と、該操作片部の一部を該折曲線を越えて端部側とは反対側に延設した側である場合とがある）に、複合細線画像又はスクリーンの一方の担持体を連接させ、他方の担持体は台紙に対する位置を固定した構造として、操作片部を手で持って折曲線を中心とした揺動操作（ヒンジ操作）を行わせることによって、複合細線画像とスクリーンとを相対的に摺動させるようにした可変画像表示体（その一例を図３１に示す）も、特許文献５〜８に示される様に、既に提案されている。
【０００５】
上記の様な構造の可変画像表示体は、ヒンジ操作による操作片部の揺動側端部の変位が、当該操作片部に連接された複合細線画像又はスクリーンの担持体に、大幅に縮小されて伝達されるので、同じ手動の操作でありながら、複合細線画像又はスクリーンの担持体そのものを直接手で持って動かす場合と比較すれば、複合細線画像とスクリーンとの位置合わせを遥かに精密に行うことが可能であるので、観察したい画像のみを綺麗に表示させることが容易に可能となり、また、複合細線画像とスクリーンとを低速度で相対的に摺動させる場合であっても、遥かに滑らかに摺動させることが可能であるので、動画をより滑らかに表示させることが容易に可能となるという利点がある。
【０００６】
しかるに、画像の変化のパターン数をより増したり、動画をより滑らかに表示させたりするために、原画像の枚数を増しつつ、表示される画像の精細度を低下させないために、細線画像をより細線化し、スクリーンの周期をより細かくしようとすると、複合細線画像とスクリーンとの位置合わせ精度や相対的な摺動の滑らかさの他にも、表示される画像の画質に大きく影響する問題が発生して来る。それは、複合細線画像の担持体とスクリーンの担持体とが相互に密着せずに、それらの間に隙間が発生すると、たとえ両者が水平方向には正確に位置合わせがされていたとしても、スクリーンの透視部を透して、本来見えるべき細線画像の他に、それに隣接する細線画像の一部が一緒に見えてしまい、そのために、本来観察されるべき画像が鮮明に観察されずに、濁ったりぼやけたりして観察されてしまうという問題である。
【０００７】
上記の様に、隣接する細線画像の一部が一緒に見えてしまう現象は、原画像の枚数が少なくスクリーンの周期が広い場合でも同様に発生してはいるのであるが、この場合は、本来見えるべき細線画像と比較して、それに隣接する細線画像の見え方は相対的に少ないので、観察される画像の見え方にはあまり大きな影響はない。しかし、スクリーンの周期が細かい場合、つまりスクリーンの透視部の幅が狭い場合には、本来見えるべき細線画像の見え方が少ないので、それに隣接する細線画像の見え方は相対的に多くなり、観察される画像の見え方への影響も大きくなり、無視できないものとなってしまう。
【０００８】
上記した新たな問題は、前述したヒンジ機構を利用した可変画像表示体においては、そうでないものにおいてよりも、より顕著に発生する。それは、ヒンジ機構を利用して複合細線画像又はスクリーンの一方の担持体を台紙に対して摺動させるために、ヒンジ機構における操作片部を台紙に対して水平な位置からある角度を持った位置に傾ける様に揺動させると、これによって該操作片部に連接された前記複合細線画像又はスクリーンの一方の担持体は、台紙に対して水平方向に摺動すると同時に、鉛直方向にも持ち上げられてしまい、そのために他方の担持体との間に隙間を発生してしまう（図３２）のであり、これはヒンジ機構を利用して複合細線画像の担持体とスクリーンの担持体とを相対的に摺動させる可変画像表示体における構造的な問題とも言うことができる。
【０００９】
上記の様な事情により、ヒンジ機構を利用した複合細線画像の担持体とスクリーンの担持体との相対的な摺動により画像の変化や動画を表示する可変画像表示体において、両者間の滑らかな摺動を阻害することなく、両者間の隙間の発生を効果的に防止し、もって画像の鮮明な表示を可能とする技術的手段の開発が要望されていた。
【先行技術文献】
【特許文献】
【００１０】
【特許文献１】実公昭２−４０９３号公報
【特許文献２】実願昭５１−１１６７２４号（実開昭５３−３５７４８号）のマイクロフィルム
【特許文献３】実公昭５５−５４５５８号公報
【特許文献４】実用新案登録第３０２８５８９号公報
【特許文献５】米国特許第９４４３８５号明細書
【特許文献６】米国特許第１２１１４９７号明細書
【特許文献７】米国特許第１２５９２９７号明細書
【特許文献８】米国特許第２３６７９６７号明細書
【発明の概要】
【発明が解決しようとする課題】
【００１１】
本発明は、背景技術における上記の様な問題点に鑑みてなされたものであり、その目的とするところは、ヒンジ機構を利用した複合細線画像とストライプ状のスクリーンとの相対的な摺動による可変画像表示体において、複合細線画像の担持体とスクリーンの担持体との間の隙間の発生を効果的に防止でき、もって画像の鮮明な表示を可能とする可変画像表示体を提供することにある。
【課題を解決するための手段】
【００１２】
本発明の可変画像表示体は、複数種類の原画像のそれぞれを所定の細線画像幅に分割した細線画像から前記原画像の種類の数に等しい所定数毎に選択した細線画像を、各原画像に由来する細線画像が前記細線画像幅の前記所定数倍に等しい所定周期で繰り返し現れるように、一定の順序で相互に隣接させて配列して構成してなる複合細線画像を表面に担持した台紙と、前記台紙上に配置された、前記細線画像幅に等しい幅の透視可能な透視部と、前記細線画像幅の前記所定数倍よりも前記細線画像幅だけ狭い幅の透視不可能な隠蔽部とを、前記細線画像の配列方向と同一方向に相互に隣接させて交互に配列してなる、表示すべき画像の寸法よりも大きい寸法のスクリーンを担持したスクリーン担持シートと、前記スクリーン担持シート上に配置された、少なくとも前記細線画像の配列方向と直交方向に前記スクリーンよりも大きい寸法を有し、前記台紙との間に前記スクリーンの収納空間を形成すると共に、該収納空間上の部分に、表示すべき画像の寸法と等しいか又はこれより大きい寸法の窓部が穿設された窓枠シートと、を少なくとも具備してなり、前記窓枠シートは、前記台紙に固定されており、前記台紙の、前記細線画像の配列方向の片側の端部に形成された、該配列方向に直交する方向に延在する折曲線を軸として揺動可能なヒンジ機構により、前記スクリーンを台紙に対して該配列方向に摺動させることによって、前記複数枚の原画像のそれぞれに由来する画像が所定の順序で順次表示される可変画像表示体において、前記窓枠シートは、前記収納空間上の部分以外の部分であって、前記スクリーンの摺動方向に直交する方向の両端部の近傍の、該摺動方向に前記ヒンジ機構側の端部の近傍の部分に、前記台紙と接合された接合部を有すると共に、前記摺動方向に直交する方向の少なくとも一方の端部の、該摺動方向に前記接合部より前記ヒンジ機構とは反対側の部分に、前記台紙と接合されることなく、前記台紙との間に、前記収納空間に連通する開口部が形成されており、前記スクリーン担持シートは、前記スクリーンと、前記窓枠シートの前記開口部を隔てて前記スクリーンとは反対側に配置され、前記ヒンジ機構に連接されて該ヒンジ機構のヒンジ作用により前記摺動方向に駆動される連接桿部と、前記開口部において前記スクリーンと前記連接桿部とを接続する接続部とを具備することを特徴とするものである。
【００１３】
また本発明の可変画像表示体は、台紙と、前記台紙上に配置された、複数種類の原画像のそれぞれを所定の細線画像幅に分割した細線画像から前記原画像の種類の数に等しい所定数毎に選択した細線画像を、各原画像に由来する細線画像が前記細線画像幅の前記所定数倍に等しい所定周期で繰り返し現れるように、一定の順序で相互に隣接させて配列して構成してなる複合細線画像を表面に担持した複合細線画像担持部を備えた複合細線画像担持シートと、前記複合細線画像担持シート上に配置された、前記細線画像幅に等しい幅の透視可能な透視部と、前記細線画像幅の前記所定数倍よりも前記細線画像幅だけ狭い幅の透視不可能な隠蔽部とを、前記細線画像の配列方向と同一方向に相互に隣接させて交互に配列してなる、表示すべき画像の寸法よりも大きい寸法のスクリーンを担持したスクリーン担持シートと、前記スクリーン担持シート上に配置された、少なくとも前記細線画像の配列方向と直交方向に前記複合細線画像担持部及び前記スクリーンよりも大きい寸法を有し、前記台紙との間に前記複合細線画像担持部及び前記スクリーンの収納空間を形成すると共に、該収納空間上の部分に、表示すべき画像の寸法と等しいか又はこれより大きい寸法の窓部が穿設された窓枠シートと、を少なくとも具備してなり、前記窓枠シートは、前記台紙に固定されており、前記スクリーン担持シートは、前記窓枠シートに固定されており、前記台紙の、前記細線画像の配列方向の片側の端部に形成された、該配列方向に直交する方向に延在する折曲線を軸として揺動可能なヒンジ機構により、前記複合細線画像担持シートの複合細線画像担持部を台紙に対して該配列方向に摺動させることによって、前記複数枚の原画像のそれぞれに由来する画像が所定の順序で順次表示される可変画像表示体において、前記窓枠シートは、前記収納空間上の部分以外の部分であって、前記複合細線画像担持シートの複合細線画像担持部の摺動方向に直交する方向の両端部の近傍の、該摺動方向に前記ヒンジ機構側の端部の近傍の部分に、前記台紙と接合された接合部を有すると共に、前記摺動方向に直交する方向の少なくとも一方の端部の、該摺動方向に前記接合部より前記ヒンジ機構とは反対側の部分に、前記台紙と接合されることなく、前記台紙との間に、前記収納空間に連通する開口部が形成されており、前記複合細線画像担持シートは、前記複合細線画像担持部と、前記窓枠シートの前記開口部を隔てて前記複合細線画像担持部とは反対側に配置され、前記ヒンジ機構に連接されて該ヒンジ機構のヒンジ作用により前記摺動方向に駆動される連接桿部と、前記開口部において前記複合細線画像担持部と前記連接桿部とを接続する接続部とを具備することを特徴とするものである。
【００１４】
また本発明の可変画像表示体は、上記のいずれかの可変画像表示体において、前記開口部と、前記連接桿部と、前記接続部とは、前記摺動方向と直交方向に両側に設けられていることを特徴とするものである。
【００１５】
また本発明の可変画像表示体は、上記のいずれかの可変画像表示体において、前記ヒンジ機構の軸である折曲線と前記接続部の前記ヒンジ機構側の端部との間の距離は、前記ヒンジ機構の軸である折曲線と前記窓枠シートの窓部の前記ヒンジ機構とは反対側の端部との間の距離の３分の１以上であることを特徴とするものである。
【発明の効果】
【００１６】
本発明の可変画像表示体は、相互に固定された台紙と窓枠シートとの間に形成された収納空間の内部に収納したスクリーン（又は複合細線画像担持部）を、台紙の端部に形成されたヒンジ機構によって駆動して台紙に対して摺動させることにより、複合細線画像とスクリーンとを相対的に摺動させて表示される画像を変化させる可変画像表示体において、台紙と窓枠シートとをヒンジ機構側の端部の近傍であって収納空間を挟む２箇所において少なくとも接合すると共に、その接合部よりもヒンジ機構とは反対側に設けた、台紙と窓枠シートとが接合されていない開口部を通じて、ヒンジ機構とスクリーン（又は複合細線画像担持部）とを連接桿部及び接続部を介して連接、接続して、ヒンジ機構のヒンジ作用による駆動力を当該連接桿部及び接続部を介してスクリーン（又は複合細線画像担持部）に伝達してこれを台紙に対して摺動させるように構成したことによって、ヒンジ機構とそのヒンジ作用によって駆動されるスクリーン（又は複合細線画像担持部）の接続部との間に、少なくとも台紙と窓枠シートとの間の接合部の摺動方向の長さに相当する距離があるため、ヒンジ機構のヒンジ作用によりスクリーン（又は複合細線画像担持部）を上方に持ち上げようとする力が大幅に緩和されてスクリーン（又は複合細線画像担持部）に伝わることになるとともに、スクリーン（又は複合細線画像担持部）はその接続部よりもヒンジ機構側に設けられた接合部にて台紙上に固定された窓枠シートによって上面が覆われていて上方への持ち上がりが規制されているため、ヒンジ機構のヒンジ作用によってスクリーン（又は複合細線画像担持部）を摺動させても、スクリーン（又は複合細線画像担持部）が上方へ持ち上げられることがなく、常に複合細線画像担持部とスクリーンとが隙間なく密着した状態が維持されるので、両者が正確に位置合わせされていても両者間に発生する隙間が原因となって発生することのある表示される画像の濁りやぼけが防止され、より鮮明な画像を表示することが可能となる。
【図面の簡単な説明】
【００１７】
【図１】本発明の第１の実施形態の可変画像表示体における複合細線画像担持シートを兼ねた台紙の平面図。
【図２】本発明の第１の実施形態の可変画像表示体におけるスクリーン担持シートの平面図。
【図３】本発明の第１の実施形態の可変画像表示体における窓枠シートの平面図。
【図４】本発明の第１の実施形態の可変画像表示体の平面図。
【図５】図４に示した本発明の第１の実施形態の可変画像表示体のＡ−Ａ部における断面図。
【図６】図４に示した本発明の第１の実施形態の可変画像表示体のＢ−Ｂ部における断面図。
【図７】図４に示した本発明の第１の実施形態の可変画像表示体の操作片部を水平に保持した状態でのＣ−Ｃ部における断面図。
【図８】図４に示した本発明の第１の実施形態の可変画像表示体の操作片部を水平に保持した状態でのＤ−Ｄ部における断面図。
【図９】図４に示した本発明の第１の実施形態の可変画像表示体の操作片部を上方に揺動させた状態でのＣ−Ｃ部における断面図。
【図１０】図４に示した本発明の第１の実施形態の可変画像表示体の操作片部を上方に揺動させた状態でのＤ−Ｄ部における断面図。
【図１１】本発明の第２の実施形態の可変画像表示体における複合細線画像担持シートを兼ねた台紙の平面図。
【図１２】本発明の第２の実施形態の可変画像表示体におけるスクリーン担持シートの平面図。
【図１３】本発明の第２の実施形態の可変画像表示体における窓枠シートの平面図。
【図１４】本発明の第２の実施形態の可変画像表示体の平面図。
【図１５】本発明の第３の実施形態の可変画像表示体におけるスクリーン担持シートの平面図。
【図１６】本発明の第３の実施形態の可変画像表示体の平面図。
【図１７】図１６に示した本発明の第３の実施形態の可変画像表示体の操作片部を下方に揺動させた状態でのＣ−Ｃ部における断面図。
【図１８】図１６に示した本発明の第３の実施形態の可変画像表示体の操作片部を下方に揺動させた状態でのＤ−Ｄ部における断面図。
【図１９】本発明の第４の実施形態の可変画像表示体における台紙の平面図。
【図２０】本発明の第４の実施形態の可変画像表示体における複合細線画像担持シートの平面図。
【図２１】本発明の第４の実施形態の可変画像表示体におけるスクリーン担持シートの平面図。
【図２２】本発明の第４の実施形態の可変画像表示体の平面図。
【図２３】図２２に示した本発明の第４の実施形態の可変画像表示体のＡ−Ａ部における断面図。
【図２４】図２２に示した本発明の第４の実施形態の可変画像表示体のＢ−Ｂ部における断面図。
【図２５】図２２に示した本発明の第４の実施形態の可変画像表示体の操作片部を水平に保持した状態でのＣ−Ｃ部における断面図。
【図２６】図２２に示した本発明の第４の実施形態の可変画像表示体の操作片部を水平に保持した状態でのＤ−Ｄ部における断面図。
【図２７】図２２に示した本発明の第４の実施形態の可変画像表示体の操作片部を上方に揺動させた状態でのＣ−Ｃ部における断面図。
【図２８】図２２に示した本発明の第４の実施形態の可変画像表示体の操作片部を上方に揺動させた状態でのＤ−Ｄ部における断面図。
【図２９】本発明の第５の実施形態の可変画像表示体における台紙、複合細線画像担持シート及び窓枠シートが相互に連接されたブランクシートの展開図。
【図３０】図２９に示したブランクシートに基づいて組み立てた本発明の第５の実施形態の可変画像表示体の平面図。
【図３１】従来の可変画像表示体の一例の平面図。
【図３２】図３１に示した従来の可変画像表示体の一例の操作片部を上方に揺動させた状態でのＣ−Ｃ部における断面図。
【発明を実施するための形態】
【００１８】
以下に本発明の可変画像表示体の具体的な実施形態を図面を参照しながら詳細に説明する。
【００１９】
＜第１の実施形態＞
本発明の第１の実施形態の可変画像表示体は、複合細線画像担持シート２０を兼ねた台紙１０（図１）と、スクリーン担持シート３０（図２）と、窓枠シート４０（図３）とから構成されるものである。
【００２０】
台紙１０の表面には、文字「Ａ」、文字「Ｂ」及び文字「Ｃ」をそれぞれ表した３種類の原画像に基づいて、各原画像を所定の細線画像幅に分割した細線画像から、文字「Ａ」を表した原画像に基づく細線画像については左端側から１番目、４番目、７番目、‥‥というように、文字「Ｂ」を表した原画像に基づく細線画像については左端側から２番目、５番目、８番目、‥‥というように、文字「Ｃ」を表した原画像に基づく細線画像については左端側から３番目、６番目、９番目、‥‥というように、それぞれ２本置きに選択した細線画像を、左端側から順に、「Ａ」の１番目、「Ｂ」の２番目、「Ｃ」の３番目、「Ａ」の４番目、「Ｂ」の５番目、「Ｃ」の６番目、‥‥というように、３種類の原画像のそれぞれに由来する細線画像がそれぞれ２本置きに現れるような順番で、相互に隣接させて配列して構成した複合細線画像２１が設けられている。
【００２１】
また、この台紙１０の左側の端部には、後述するヒンジ機構５０を構成するために、天地方向に直線状に形成された折曲線１１を介して、該折曲線１１を軸として紙面に垂直方向に揺動可能な操作片部１２が延設されている。台紙１０乃至複合細線画像担持シート２０としては、従来周知の同種の可変画像表示体の場合と同様に、例えばカード紙又は板紙等の厚手の紙（坪量１５０〜４００ｇ／ｍ２程度）や、合成紙、プラスチックシート（厚み１００〜３００μｍ程度）等を使用することができる。複合細線画像２１は、例えば通常の印刷法、電子写真法、インクジェット法等、従来周知の方法で形成することができる。
【００２２】
スクリーン担持シート３０は、前述した複合細線画像２１の分割単位である細線画像幅に等しい幅を有する透視可能な透視部３２と、細線画像幅の原画像数倍すなわち３倍よりも細線画像幅だけ狭い幅、つまり細線画像幅の２倍に等しい幅を有する透視不可能な隠蔽部３３とが、前述した複合細線画像２１を構成する細線画像の配列方向と同一方向すなわち左右方向に、相互に隣接して交互に配列されたストライプ状のスクリーン３１を有している。スクリーン３１は、表示すべき画像の寸法よりも大きい寸法を有していること、つまり、スクリーン３１の輪郭の形状の内部に、表示すべき画像の輪郭の形状が完全に含まれ得るような寸法を有していることが必要である。この条件を満たす限り、スクリーン３１の寸法には特に制限はないが、天部及び地部で接合される台紙１０と窓枠シート４０との間に挿入されて左右方向に摺動されるものであるから、その天地方向の幅は、台紙１０及び窓枠シート４０の天地方向の幅よりも狭く形成される必要がある。
【００２３】
スクリーン３１は、従来周知の同種の可変画像表示体の場合と同様に、透明なプラスチックフィルムの表面に不透明な印刷インキにより隠蔽部を印刷したもの等を使用することができる。スクリーン担持シート３０は、その全体がスクリーン３１によって構成されていてもよいし、スクリーン３１以外のシート部分（透明であるか不透明であるかは問わない）を有していてもよい。図示した例では、スクリーン担持シート３０は、スクリーン３１の他に、該スクリーン３１の右側の天地両端部に接続された接続部３４と、該接続部３４のスクリーン３１とは反対側に接続され、スクリーン３１の透視部３２及び隠蔽部３３の配列方向すなわち左右方向に延在する連接桿部３５とを備えている。
【００２４】
この連接桿部３５は、スクリーン３１の左側の端部よりも更に左側にまで延在しており、その左端部には、後述するヒンジ機構５０を構成するための折曲線３７及び操作片部３８が設けられており、該操作片部３８及び天地の２箇所の折曲線３７を介して天地の２つの連接桿部３５が連接されることによって、スクリーン３０、天地の２つの接続部３４、天地の２つの連接桿部３５及び操作片部３８によって囲繞された、略左右逆コ字状の切欠部３６が形成されている。なお、上記連接桿部３５と操作片部３８とを折り曲げ可能に連接する折曲線３７は、このスクリーン担持シート３０を台紙１０上に載置した際に、台紙１０の左端部の操作片部１２との連接部である折曲線１１よりも複合細線画像２１側とは反対側（左側）の位置に来るような位置に形成されている。これら接続部３４、連接桿部３５及び操作片部３８は、例えばカード紙等、前述した台紙１０と同様の不透明なシート材料により形成されている。
【００２５】
窓枠シート４０は、例えばカード紙等、前述した台紙１０と同様の材質からなるものであり、その外形寸法は、少なくとも前述した細線画像の配列方向と直交方向すなわち天地方向に前述したスクリーン３０よりも大きい寸法を有している必要があり、左右方向には特に制限はないが、後述するヒンジ機構５０の作用を阻害することのないように、台紙１０上に固定したときに台紙１０やスクリーン担持シート３０の折曲部１１、３７を覆うことのない程度の寸法とするのがよい。この窓枠シート４０には、複合細線画像担持シート２０に担持された複合細線画像２１とスクリーン担持シート３０に担持されたスクリーン３１との協働により表示される画像を観察できるように、表示すべき画像の寸法と等しいか又はこれより大きい寸法の、つまり、その輪郭の形状の内部に表示すべき画像の輪郭の形状が完全に含まれ得るような寸法の、窓部４１が穿設されている。なお、上記「表示すべき画像」とは、複合細線画像２１とスクリーン３１との協働により表示可能な画像の内、観察者に観察させることを制作者が意図した部分の画像を言い、実質的に複合細線画像２１の全体である場合もあれば、その一部分である場合もある。また、この窓枠シート４０の表面には、可変画像表示部である窓部４１に表示される画像と関連した又は関連のない任意の絵柄を形成することもできる。
【００２６】
そして、図示した窓枠シート４０には、その前述した細線画像の配列方向と直交する方向すなわち天地方向の両端部であって、その該配列方向に後述するヒンジ機構５０側すなわち左側の端部の近傍に、その右側における天地方向の端部よりも天地方向に張り出した部分が形成されており、その張り出した部分の天地方向の端部の近傍に、後に台紙１０と接合するための接合部４３が設けられている。このように接合部４３を設ける部分を天地方向に張り出させることは、本発明においては必ずしも必須ではなく、窓枠シート４０の天地側の端部は張り出し部分のない直線状であっても、本発明の目的を達成することは十分に可能である。但し、図示したように接合部４３を設ける部分を張り出し部分とすることによって、その右側の接合部４３を有さない部分における窓枠シート４０の天地方向の寸法を短く抑えておくと、スクリーン担持シート３０におけるスクリーン３１と連接桿部３５との接続部３４をより短く抑え、連接桿部３５をよりスクリーン３１に接近して設けることが可能となり、これによって、台紙１０に占める画像が表示される部分（窓枠シート４０の窓部４１に相当する部分）以外の部分の面積を抑えてコンパクトな可変画像表示体を設計したり、連接桿部３５の幅に余裕を持たせて強度の確保を図ったりすることが可能となる利点がある。
【００２７】
また、図示した窓枠シート４０には、そのヒンジ機構５０とは反対側すなわち右側の端部の近傍にも、後に台紙１０と接合するための接合部４２が設けられている。この接合部４２は本発明においては必ずしも必須ではなく、窓枠シート４０がその左側の天地２箇所において台紙１０上に固定されていればその右側の部分が簡単には捲れ上がることのない程度の十分な剛性を備えている場合には、この接合部４２を省略することも可能である。しかし、窓枠シート４０を例えばカード紙など、ある程度の可撓性を有するシート材料から構成する場合には、そのヒンジ機構５０とは反対側の端部の近傍にも台紙１０との接合部４２を設けて、窓枠シート４０の捲れ上がりを防止しておくことが望ましい。接合部４２の形状は、窓枠シート４０の捲れ上がりの防止効果が実用上十分に得られれば、必ずしも図示したような天地方向のほぼ全体に亘るものでなくてもよく、例えば天地方向の両端部近傍の２箇所や天地方向の中央部付近の１箇所等といった様に、天地方向に部分的に設けてもよい。また、図示した例では、窓枠シート４０のヒンジ機構５０側すなわち左側の端部の近傍には、その天地側の両端部の近傍の２箇所のみに接合部４３が設けられているが、本発明はこれに限定されるものではなく、窓枠シート４０のヒンジ機構５０側の端部の近傍には、天地側の両端部の近傍以外の任意の箇所、例えば天地方向の中央部にも台紙１０との接合部が設けられていてもよいし、天地側の両端部の２箇所の接合部４３を連結するように、天地方向に全体に亘って台紙１０との接合部が設けられていてもよい。
【００２８】
上述した台紙１０（複合細線画像担持シート２０）の上に、スクリーン担持シート３０と、窓枠シート４０とをこの順で配置し、台紙１０と窓枠シート４０とを接合部４２、４３において接着剤又はスペーサその他の適宜の手段を介して接合して、それらの間に形成される収納空間にスクリーン３１が左右方向に摺動可能に収納された状態とし、さらに、台紙１０の左側の端部に折曲線１１を介して延設された操作片部１２と、スクリーン担持シート３０の連接桿部３５の左側の端部に折曲線３７を介して延設された操作片部３８と接合することにより、本発明の第１の実施形態の可変画像表示体が完成する（図４）。
【００２９】
この可変画像表示体には、前述した台紙１０及びスクリーン担持シート３０に設けられた折曲線１１、３７、操作片部１２、３８、連接桿部３５によってヒンジ機構５０が形成されている。このヒンジ機構５０における操作片部５２を、台紙１０に対して水平な状態（図７、図８）から、折曲線５１を軸として該操作片部５２に左端部を上方に持ち上げる様に揺動させると（図９、図１０）、そのヒンジ作用により台紙１０上のスクリーン担持シート３０は僅かに右方向に移動し、これによって、スクリーン担持シート３０に担持されたスクリーン３１は、台紙１０（複合細線画像担持シート２０）上に形成された複合細線画像２１に対して、僅かに右方向に摺動することとなる。
【００３０】
この摺動の距離が、複合細線画像２１を構成する個々の細線画像の幅（細線画像幅）に等しくなると、当初の状態で表示されていた文字「Ａ」の画像に代わって、文字「Ａ」の画像を構成する各細線画像の右側に隣接する各細線画像によって構成される文字「Ｂ」の画像が表示されるようになる。更に細線画像幅に相当する距離だけ摺動させると、文字「Ｂ」の画像に変わって文字「Ｃ」の画像が表示され、更に細線画像幅に相当する距離だけ摺動させると、再び文字「Ａ」の画像が表示され、以後この繰り返しとなる。一方、操作片部５２の右端部を上方に持ち上げた状態から元に戻す方向に揺動させると、今度は逆に文字「Ａ」の画像から文字「Ｃ」の画像へ、文字「Ｃ」の画像から文字「Ｂ」の画像へ、文字「Ｂ」の画像から文字「Ａ」の画像へ、という順で表示される画像が順次切り替わる。
【００３１】
ところで、操作片部５２の左端部を上方へ持ち上げるように揺動させたとき、ヒンジ機構５０とスクリーン３１の左端部とを直接接続してスクリーン３１にヒンジ作用を及ぼして摺動させる構造の従来の可変画像表示体の場合（図３１）には、スクリーン担持シート３０は右方向への移動と同時に、そのヒンジ機構５０側の部分が上方へ持ち上げられることにより、スクリーン担持シート３０のスクリーン３１の部分と複合細線画像担持シート２０（台紙１０）の複合細線画像２１が形成された部分との間に隙間６０が発生してしまう（図３２）。これに対して、本発明の可変画像表示体の場合は、スクリーン３１のヒンジ機構５０側すなわち左側の端部はヒンジ機構５０とは接続されておらず、スクリーン３１は、そのヒンジ機構５０とは反対側すなわち右側の、摺動方向と直交する方向すなわち天地方向の端部において、台紙１０と窓枠シート４０とが接合されていない開口部４４に挿通された接続部３４及びその天地側に接続された連接桿部３５を介してヒンジ機構５０と接続され駆動される構造となっており、ヒンジ機構５０と接続部３４との間に距離があるため、ヒンジ機構５０のヒンジ作用がスクリーン３１を持ち上げようとする力は十分に弱められ、スクリーン３１の上に配置された窓枠シート４０によって十分に抑えられるので、スクリーン３１が持ち上げられて複合細線画像２１との間に隙間６０が発生することがなく、両者が密着した良好な状態を維持し（図９、図１０）、以て鮮明な画像を表示することができる。
【００３２】
可変画像表示部である窓部４１における複合細線画像２１とスクリーン３１との間の隙間６０の発生をより効果的に防止するためには、ヒンジ機構５０からこれとスクリーン３１との接続部３４のヒンジ機構５０側の端部との距離を長くするほど有利である。このため、ヒンジ機構５０の軸である折曲線５１と、スクリーン３１と連接桿部３５との接続部３４のヒンジ機構５０側の端部との間の距離（ヒンジ機構５０の操作片部５２が台紙１０に対して水平な状態での）は、該折曲線５１と、可変画像表示部である窓部４１のヒンジ機構５０とは反対側の端部との間の距離の少なくとも３分の１以上、より好ましくは２分の１以上とすることが望ましい。但し、この距離をあまり長く取り過ぎても、連接桿部３５の折曲線３７から接続部３４までの長さが長くなると共に、接続部３４の左右方向の幅が狭くなり、これらは本発明の可変画像表示体の強度を減じて、連接桿部３５や接続部３４が折れ曲がってスクリーン３１が正常に摺動しなくなったり、連接桿部３５や接続部３４が破損し易くなったりする原因ともなるので、前述した距離の比率は概ね４分の３以下、より好ましくは３分の２以下の範囲内に抑えることが望ましい。
【００３３】
この本発明の第１の実施形態の可変画像表示体は、図示したもののほか、その態様を種々変更して実施することができる。例えば、図示したものでは操作片部５２は台紙１０（折曲線５１より右側の部分）より幅の狭い寸法に形成されているが、この操作片部５２と台紙１０とを略同大同形状として、開閉操作により画像が変化して表示される２つ折りカードとすることができる。また、この２つ折りカード状の構造が見開き頁となるように冊子体に綴じ込むことによって、頁の開閉操作により画像が変化して表示される書籍又は雑誌等の冊子体とすることができる。更に、この２つ折りカード状の構造の可変画像表示体を複数用意しておき、隣接する可変画像表示体の台紙１０の裏面と操作片部５２の裏面とを接合しつつ順次綴じ合わせることによって、各見開き頁に頁の開閉操作により画像が変化して表示される可変画像表示体が設けられた絵本とすることもできる。
【００３４】
一方、操作片部５２は幅の狭い寸法のままで、台紙１０の操作片部５２側とは反対側の端部（右端部）を綴じ部側として冊子体に綴じ込むことによって、頁の小口側の端部の揺動操作により画像が変化して表示される冊子体とすることもできる。この場合は、図示したもののように向かって左側に操作片部５２を有する可変画像表示体を見開き頁の左側の頁に、図示したものと左右対称の構造として右側に操作片部５２を配置した可変画像表示体を見開き頁の右側の頁に、それぞれ配置するように冊子体に綴じ込むことによって、見開き頁の左右両側の頁に可変画像表示体を有する冊子体とすることもできる。またこの場合、可変画像表示体の背面に左右対象構造の別の可変画像表示体を背中合わせに貼り合わせても、それぞれを独立した可変画像表示体として機能させることが可能であるから、頁の表裏両面に可変画像表示体を有する冊子体とすることもできる。
【００３５】
また、この本発明の第１の実施形態の可変画像表示体において、複合細線画像担持シート２０を台紙１０で兼ねさせる、つまり複合細線画像２１を台紙１０上に直接形成する代わりに、台紙１０とは別体の複合細線画像担持シート２０上に複合細線画像２１を形成しておき、これを台紙１０とスクリーン担持シート３０との間に挿入して台紙１０上に固定した構造とすることもできる。この様にすると、複数種類の複合細線画像担持シート２０を用意しておき、これを必要に応じて差し替えることによって、１つの可変画像表示体を用いてより多くの種類の画像を表示可能としたり、表示可能な画像変化パターン又は動画の種類を増やしたりすることが可能となる。
【００３６】
また、図示した複合細線画像２１及びスクリーン３１は飽くまでも模式的な例であって、本発明はこれに限定されるものではない。複合細線画像２１を構成する原画像の種類は特に限定されず、文字や記号等のほか例えば人物や動植物、コミック又はアニメ等のキャラクター、乗り物、ロボットその他の機械類、風景、抽象絵画等、或いはそれらの複数種類の組み合わせ等、任意の対象物を表した画像を使用することができ、また、対象物が経時的に順次遷移する状況を表した複数の原画像を使用することによって動画を表現することもできる。使用する原画像の数にも特に制限はなく、技術的には１０枚前後までは十分に可能であるが、あまり多すぎると、表示される画像の面積に占めるスクリーン３１の隠蔽部３３によって隠蔽される部分の面積の比率が高くなって、表示される画像が不鮮明になり観察しづらくなるので、原画像の数は２〜６枚程度の範囲内とすることが望ましい。また、細線画像幅が狭すぎても表示される画像が不鮮明になる一方で、細線画像幅を拡げすぎて繰り返し周期を長くしすぎても表示される画像が粗すぎて画像として認識しにくくなるので、本発明の可変画像表示体を観察者が手で持って操作しながら観察する場合を想定すると、細線画像幅が概ね０．２〜１ｍｍ程度、より好ましくは０．３〜０．６ｍｍ程度、繰り返し周期が概ね０．５〜５ｍｍ程度、より好ましくは１〜３ｍｍ程度の範囲内となる様に設計することが望ましい。
【００３７】
また、スクリーン３１における隠蔽部３３は、このスクリーン３１を透して複合細線画像２１を観察したときに、スクリーン３１の透視部３２を透して観察される細線画像と隠蔽部３３を透して観察される細線画像とが十分なコントラストを持って観察され、これによって実質的に前者の細線画像のみによって構成される画像が観察者に認識される程度の隠蔽性を有していればよく、この限りにおいて必ずしも完全な光不透過性である必要はない。つまり、本発明において隠蔽部３３が「透視不可能」であるとは、光学的に完全な透視不可能を意味するものでは必ずしもなく、透視部３２との比較において実質的に透視不可能と言えるだけの透視困難性を備えていることを意味するものであり、一般的には、隠蔽部３３の光透過率が透視部３２の光透過率の概ね５分の１以下、より好ましくは１０分の１以下程度であればよい。隠蔽部３３の色彩にも特に制限はなく、一般的には例えば黒色、白色又は灰色等の無彩色であることが望ましいが、画像の種類によっては例えば赤色、青色、緑色等の有彩色も使用できる場合もある。また、隠蔽部３３を有彩色透明、すなわち特定の波長域の光のみを隠蔽し他の波長域の光は透過する色彩とすることによって、複合細線画像２１を構成する色彩中の特定の色彩成分についてのみ可変画像表示効果を有し、他の色彩成分については常時表示するような可変画像表示体とすることもできる。
【００３８】
更にまた、図示した例では、複合細線画像２１を構成する細線画像や、スクリーン３１を構成する透視部３２、隠蔽部３３等の細線の形状は、複合細線画像担持シート２０とスクリーン担持シート３０との相対的な摺動方向に直交する方向に延在する直線状とされているが、本発明はこれに限定されるものではなく、例えば当該摺動方向に平行でも垂直でもない一定の角度で交差する斜線状や、円弧状、「く」の字状、ジグザグ状、正弦曲線状その他の波線状等、要するに一定方向への繰り返し配置により相互に重複することなく平面を隙間なく埋め尽くすことが可能な形状であれば如何なる形状であってもよい。但し、複合細線画像２１とスクリーン３１との協働により表示される画像の画質の均一性や、複合細線画像２１及びスクリーン３１の製造の容易性、可変画像表示体の組立時における複合細線画像担持シート２０とスクリーン担持シート３０との位置合わせの容易性等を考慮すると、係る細線の形状は直線状（斜線状を含む）とすることが最も望ましい。
【００３９】
＜第２の実施形態＞
上記した本発明の第１の実施形態の可変画像表示体は、ヒンジ機構５０のヒンジ作用による駆動力をスクリーン３１に伝達するための連接桿部３５及び接続部３４並びに該接続部３４を挿通させるための台紙１０と窓枠シート４０との間の開口部４４が、スクリーン３１の摺動方向と直交方向すなわち天地方向に両側に設けられているが、連接桿部３５及び接続部３４にヒンジ機構５０による駆動に堪える十分な剛性を持たせることが可能な場合には、これを天地方向に天側又は地側の一方側のみに設けた構造とすることも可能である。つまり、例えば上記した本発明の第１の実施形態におけるものとほぼ同様の、図１１に示す様な複合細線画像担持シート２０を兼ねた台紙１０と、図１２に示す様に操作桿部３５、接続部３４及び折曲部３７を天地方向の天側のみに備えたスクリーン担持シート３０と、図１３に示す様に天地方向の地側の端部にはスクリーン３１の摺動方向すなわち左右方向にほぼ全体に亘って台紙１０との接合部４３を設けた窓枠シート４０とを使用して、図１４に示す様な本発明の第２の実施形態の可変画像表示体とすることができる。この様な構造の可変画像表示体の動作原理及び作用効果は、上記した本発明の第１の実施形態の可変画像表示体の場合と実質的にほぼ同様であるので、その詳細な説明は省略する。
【００４０】
この様に連接桿部３５等を片側にのみ設けた構造の可変画像表示体は、台紙１０と窓枠シート４０との間の収納空間において摺動させる部分（スクリーン３１及び接続部３４の一部）の面積との対比において、連接桿部３５の摺動方向と直交方向（天地方向）の幅が狭すぎたり、摺動方向（左右方向）の長さが長すぎたりすると、ヒンジ機構５０から連接桿部３５に及ぼされる駆動力とスクリーン３１等の摺動に対する抵抗力（摩擦力等）との拮抗に連接桿部３５が耐えられずに、連接桿部３５が折れ曲がったり破損したりする場合があるという弱点があることも否めないので、一般的には、可能な限り、上記した本発明の第１の実施形態の可変画像表示体の様に、連接桿部３５等をスクリーン３１等の摺動方向と直交方向にスクリーン３１等の両側に設けた構造を採用することが望ましい。しかしながら、例えば可変表示すべき画像の面積が十分に小さいために摺動に対する抵抗力が十分に小さい場合や、連接桿部３５として例えば厚手の板紙や金属板、プラスチック板等の高強度（高剛性）の材質を用いるか又は連接桿部３５をそれらの材質で補強することが可能な場合等には、この本発明の第２の実施形態の可変画像表示体の様に連接桿部３５等を片側にのみ設けた構造でも、十分に実用に堪える可変画像表示体を得ることが可能な場合もある。
【００４１】
また、図示した例では、スクリーン担持シート３０の連接桿部３５が設けられた側とは反対側すなわち地側の窓枠シート４０の端部の近傍には、その左右方向にほぼ全体に亘る様に台紙１０との接合のための接合部４３を設けてあるが、本発明はこれに限定されるものではなく、この接合部４３は少なくともヒンジ機構５０側の端部近傍に設けられていればよく、例えば前述した第１の実施形態の可変画像表示体の場合と同様に、窓枠シート４０の地側の端部においても当該接合部４３よりもヒンジ機構５０側とは反対側の部分は台紙１０と接合されない開口部４４とされていてもよい。その他、この本発明の第２の実施形態の可変画像表示体も、前述した第１の実施形態の可変画像表示体の場合と同様に、その態様を種々変更して実施することができる。
【００４２】
＜第３の実施形態＞
上記した本発明の第１及び第２の実施形態の可変画像表示体は、ヒンジ機構５０における操作片部５２を、その台紙１０側とは反対側の端部を台紙１０に対して水平な位置から上方に持ち上げる様な方向に揺動させるものであるが、このヒンジ機構５０における、台紙１０と操作片部５２との間の折曲線５１（１１）と、スクリーン担持シート３０の連接桿部３５と操作片部３８との間の折曲線３７との摺動方向（左右方向）の位置関係を逆転させることによって、操作片部５２を逆に下方に押し下げる様な方向に揺動させる構造とすることもできる。つまり、例えば上記した本発明の第１の実施形態におけるものと同様の、すなわち例えば図１に示したものと同様の台紙１０と、図１５に示す様に、図２に示したものよりも折曲線３７を右方に移動したスクリーン担持シート３０と、上記した本発明の第１の実施形態におけるものと同様の、すなわち例えば図３に示したものと同様の窓枠シート４０とを使用して、図１６に示す様な本発明の第３の実施形態の可変画像表示体とすることができる。
【００４３】
このような構造のヒンジ機構５０を有する可変画像表示体にあっては、ヒンジ機構５０の操作片部５２を下方へ押し下げる様に揺動させると、スクリーン担持シート３０に担持されたスクリーン３１は、台紙１０（複合細線画像担持シート２０）に対して僅かに左方向に摺動することとなるから、窓部４１に表示される画像は、当初の文字「Ａ」の画像から文字「Ｃ」の画像へ、更に文字「Ｂ」の画像へ、そして再び文字「Ａ」の画像へ、という順で繰り返し切り替わることとなる。そして、操作片部５２を下方へ押し下げた状態から元の水平な位置に戻す様な方向に揺動させると、表示される画像は上記と逆の順序で順次切り替わることとなる。
【００４４】
このように操作片部５２を台紙１０に対して水平な位置から下方へ揺動させる構造のヒンジ機構５０を有する可変画像表示体にあっても、ヒンジ機構５０とスクリーン３１の左端部とを直接接続してスクリーン３１にヒンジ作用を及ぼして摺動させる構造の従来の可変画像表示体の場合には、操作片部５２の左端部を下方へ押し下げるように揺動させたときに、スクリーン担持シート３０は左方向への摺動と同時に、そのヒンジ機構５０側の部分が上方へ持ち上げられることにより、スクリーン担持シート３０のスクリーン３１の部分と複合細線画像担持シート２０（台紙１０）の複合細線画像２１が形成された部分との間に隙間が発生してしまう。
【００４５】
これに対して、本発明の可変画像表示体の場合は、スクリーン３１のヒンジ機構５０側すなわち左側の端部はヒンジ機構５０とは接続されておらず、スクリーン３１のヒンジ機構５０とは反対側すなわち右側の、摺動方向と直交する方向すなわち天地方向の端部において、台紙１０と窓枠シート４０とが接合されていない開口部４４に挿通された接続部３４及びその天地側に接続された連接桿部３５を介してヒンジ機構５０と接続され駆動される構造となっており、ヒンジ機構５０と接続部３４との間に距離があるため、ヒンジ機構５０のヒンジ作用がスクリーン３１を持ち上げようとする力は十分に弱められ、スクリーン３１の上に配置された窓枠シート４０によって十分に抑えられるので、スクリーン３１が持ち上げられて複合細線画像２１との間に隙間が発生することがなく、両者が密着した良好な状態を維持し（図１７、図１８）、以て鮮明な画像を表示することができる。
【００４６】
この本発明の第３の実施形態の可変画像表示体においても、前述した本発明の第２の実施形態の可変画像表示体の様に、ヒンジ機構５０のヒンジ作用による駆動力をスクリーン３１に伝達するための連接桿部３５及び接続部３４並びに該接続部３４を挿通させるための台紙１０と窓枠シート４０との間の開口部４４を、複合スクリーン３１の摺動方向と直交方向に片側のみに、すなわち天地方向に天側又は地側の一方側のみに設けた構造とすることも可能であり、その場合のそれぞれの長短についても、前述した本発明の第１の実施形態の可変画像表示体と第２の実施形態の可変画像表示体との関係と同様である。またその他、前述した本発明の第１及び第２の実施形態の可変画像表示体の場合と同様に、その態様を種々変更して実施することが可能である。
【００４７】
但し、前述した第１及び第２の実施形態の可変画像表示体の場合と異なり、台紙１０と操作片部５２とを可変画像表示部を内側にして折り重ねることは不可能であり、また、反対側に折り重ねて閉じた場合にも、台紙１０の折曲線５１側の端部からスクリーン担持シート３０の連接桿部３５の一部が突出することとなるので、開閉操作により画像が変化して表示される２つ折りカードや、頁の開閉操作により画像が変化して表示される冊子体としての使用には不向きである。また、左右対称構造の可変画像表示体を背中合わせに貼り合わせると、表裏の可変画像表示体の操作片部５２が邪魔し合ってその揺動操作を行うことができないので、この様な形で表裏両面に可変画像表示体を有する構造体としての使用にも不向きである。しかし、この第３の実施形態の可変画像表示体を、その台紙１０の操作片部５２とは反対側の端部を綴じ部側として冊子体に綴じ込むことは可能であるし、また、左右対称でない同一構造の可変画像表示体を、それぞれの操作片部５２が他方の台紙１０と重ならない位置関係で背中合わせに貼り合わせて、表裏両面に可変画像表示体を有する１枚の構造体として使用することも可能である。
【００４８】
＜第４の実施形態＞
本発明の可変画像表示体において、複合細線画像担持シート２０とスクリーン担持シート３０とを相対的に摺動させるためには、上記した第１乃至第３の実施形態におけるように、複合細線画像担持シート２０の位置を固定し、スクリーン担持シート３０を移動させる代わりに、これとは逆に、スクリーン担持シート３０の位置を固定し、複合細線画像担持シート２０を移動させる構造とすることも可能である。そのような構造の可変画像表示体の一例である本発明の第４の実施形態の可変画像表示体は、台紙１０（図１９）と、これとは別体の複合細線画像担持シート２０（図２０）と、スクリーン担持シート（図２１）と、窓枠シート４０（図３）とから構成されるものである。
【００４９】
この第４の実施形態の可変画像表示体における台紙１０（図１９）は、前述した第１の実施形態の可変画像表示体における台紙１０（図１）と同一の構造を有しているが、その表面に複合細線画像２１は形成されていない。その代わりに、この台紙１０とは別体の、前述した第１の実施形態の可変画像表示体におけるスクリーン担持シート３０（図２）と類似の構造を有する複合細線画像担持シート２０（図２０）の、前記スクリーン担持シート３０（図２）におけるスクリーン３１の位置に相当する位置に設けられた複合細線画像担持部２２の表面に、複合細線画像２１が形成されている。一方、スクリーン担持シート３０（図２１）には、後に形成されるヒンジ構造５０とスクリーン３１とを接続するための接続部３４、連接桿部３５、後にヒンジ構造５０を形成するための折曲線３７、操作片部３８は設けられておらず、その全体が窓枠シート４０の外形寸法の範囲内に収まる様な外形寸法に形成されている。このスクリーン担持シート３０は、その全体がスクリーン３１によって構成されているが、この実施形態においてはスクリーン担持シート３０は窓付シート４０に対して摺動することはないので、窓枠４１から外れる部分はスクリーン３１以外のシート材料によって構成されていても差し支えない。窓枠シート４０（図３）は、前述した第１の実施形態の可変画像表示体におけるそれと同一のものである。
【００５０】
そして、上述した台紙１０の上に、複合細線画像担持シート２０と、スクリーン担持シート３０と、窓枠シート４０とをこの順で配置して、以降は上述した第１の実施形態の可変画像表示体の場合と同様の要領にて、但し、台紙１０に連接した操作片部１２には、スクリーン担持シート３０に連接した操作片部３８の代わりに、複合細線画像担持シート２０に折曲線２６を介して連接した操作片部２７を接合することにより、本発明の第４の実施形態の可変画像表示体が完成する（図２２）。
【００５１】
この本発明の第４の実施形態の可変画像表示体は、前述した本発明の第１の実施形態の可変画像表示体の場合と同様に、ヒンジ機構５０の操作片部５２を上方へ持ち上げる様な方向に揺動させることによって、窓部４１に表示される画像を変化させることができる。但し、この場合は、当該揺動操作によって右方向に摺動するのは、スクリーン担持シート３０ではなくて複合細線画像担持シート２０であるので、表示される画像が変化する順序は、前述した本発明の第１の実施形態の可変画像表示体の場合とは逆になる。すなわち、操作片部５２を上方へ持ち上げる様な方向に揺動させると、窓部４１に表示される画像は、当初の文字「Ａ」の画像から文字「Ｃ」の画像へ、更に文字「Ｂ」の画像へ、そして再び文字「Ａ」の画像へ、という順序で順次切り替わり、操作片部５２を上方へ持ち上げた状態から元の水平な位置に戻す様な方向に揺動させると、表示される画像は上記と逆の順序で順次切り替わることとなる。
【００５２】
このようにヒンジ機構５０のヒンジ作用により複合細線画像担持シート２０を台紙１０やスクリーン３１に対して摺動させる構造の可変画像表示体にあっても、ヒンジ機構５０と複合細線画像担持部２２のヒンジ機構５０側の端部すなわち左端部とを直接接続して複合細線画像担持部２２にヒンジ作用を及ぼして摺動させる構造の従来の可変画像表示体の場合には、操作片部５２の左端部を上方へ持ち上げる様に揺動させたときに、複合細線画像担持部２２はヒンジ機構５０側とは反対側すなわち右方向への摺動と同時に、そのヒンジ機構５０側の部分が上方へ持ち上げられ、これに伴って全体的に僅かながら下方に凸に湾曲する様に変形するのに対して、スクリーン３１は、全体的に湾曲させる様な力を受けることなくほぼ平面的な状態を保持したまま、そのヒンジ機構５０側の端部が複合細線画像担持部２２によって上方へ持ち上げられるため、スクリーン３１が全体として複合細線画像担持部２２の表面上から浮き上がるか、又はスクリーン３１と複合画像担持部２２との湾曲状態に差が発生するために、両者間に隙間が発生してしまう。
【００５３】
これに対して、本発明の第４の実施形態の可変画像表示体の場合は、複合細線画像担持部２２のヒンジ機構５０側すなわち左側の端部はヒンジ機構５０とは接続されておらず、複合細線画像担持部２２は、そのヒンジ機構５０とは反対側すなわち右側の、摺動方向と直交する方向すなわち天地方向の端部において、台紙１０と窓枠シート４０とが接合されていない開口部４４に挿通された接続部２３及びその天地側に接続された連接桿部２４を介してヒンジ機構５０と接続され駆動される構造となっており、ヒンジ機構５０と接続部２３との間に距離があるため、ヒンジ機構５０のヒンジ作用が複合細線画像担持部２２を持ち上げようとする力は十分に弱められ、複合細線画像担持部２２の上にスクリーン３１を介して配置された窓枠シート４０によって十分に抑えられるので、複合細線画像担持部２２が持ち上げられたり湾曲したりしてスクリーン３１との間に隙間が発生することがなく、両者が密着した良好な状態を維持し（図２７、図２８）、以て鮮明な画像を表示することができる。
【００５４】
この本発明の第４の実施形態の可変画像表示体においても、前述した本発明の第２の実施形態の可変画像表示体の場合と同様に、ヒンジ機構５０のヒンジ作用による駆動力を複合細線画像担持部２２に伝達するための連接桿部２４及び接続部２３並びに該接続部２３を挿通させるための台紙１０と窓枠シート４０との間の開口部４４を、複合細線画像担持部２２の摺動方向と直交方向に片側のみに、すなわち天地方向に天側又は地側の一方側のみに設けた構造とすることも可能であり、その場合の長短についても、前述した本発明の第１の実施形態の可変画像表示体と第２の実施形態の可変画像表示体との関係と同様である。更に、この本発明の第４の実施形態の可変画像表示体におけるヒンジ機構５０を、前述した第３の実施形態の可変画像表示体におけるそれに類似した機構で置き換えて実施することも可能である。その他、この本発明の第４の実施形態の可変画像表示体も、複合細線画像担持シート２０に担持した複合細線画像２１の差し替えは技術的には不可能ではないにしてもあまり実用的でないことを除けば、前述した第１乃至第３の実施形態の可変画像表自体の場合と同様に、その態様を種々変更して実施することができる。
【００５５】
なお、この本発明の第４の実施形態の可変画像表示体においては、ヒンジ機構５０の操作片部５２の揺動操作によって、複合細線画像担持部２２は窓枠シート４０に対しても相対的に摺動することになるので、操作片部５２の揺動操作によって複合細線画像担持部２２が摺動可能な距離がスクリーン３１の周期を越える場合には、複合細線画像２１とスクリーン３１との協働により現れる画像は、操作片部５２の揺動位置によって異なる２箇所以上の位置に現れ得ることになる。更には、複合細線画像担持部２２が摺動可能な距離がスクリーン３１の周期の数倍以上に達する様に構成すると、同一の原画像に基づいて複合細線画像２１とスクリーン３１との協働により現れる画像の内の一部が、操作片部５２の揺動位置により、ある時は窓枠シート４０の窓部４１の外にあって表示されず、ある時は窓枠シート４０の内部にあって表示される、というように、同一の原画像に基づく画像の窓部４１内に表示される部分を複合細線画像担持部２２の摺動方向に沿って順次変化させることもできる。この場合の窓部４１の寸法は、複合細線画像２１とスクリーン３１との協働により表示可能な画像の内、操作片部５２がある一つの揺動位置にある時に、つまり複合細線画像担持部２２がある一つの摺動位置にある時に、観察者に観察させることを制作者が意図した部分の画像の形状を少なくとも含み得るような寸法とすればよい。
【００５６】
＜第５の実施形態＞
以上に説明した本発明の各実施形態の可変画像表示体においてはいずれも、台紙１０、複合細線画像担持シート２０、スクリーン担持シート３０及び窓枠シート４０は、本発明の第１乃至第３の実施形態において台紙１０が複合細線画像担持シート２０を兼ねていたことを除けば、それぞれ別体のシートによって構成されていたが、本発明はこれに限定されるものではなく、これらのシートの中から選ばれる任意の数のシートが互いに連接した１枚のブランクシートから構成されていてもよい。
【００５７】
図２９に示したのはそのブランクシートの展開図の一例であって、台紙１０、複合細線画像担持シート２０及び窓枠シート４０が、互いに連接した１枚のシートから構成されている。そして、その窓枠シート４０の下面側にスクリーン３１を配置し、このスクリーン３１を窓枠シート４０に貼着、嵌合その他の適宜の方法によって固定した後、まず複合細線画像担持シート２０を台紙１０との間の折曲線１３によって台紙１０の裏面側に折り返すと共に、台紙１０に連接した操作片部１２と複合細線画像担持シート２０に連接した操作片部２７とをそれらの裏面同士で接合し、次いで前述したスクリーン３１を裏面に固定した窓枠シート４０を台紙１０との間の折曲線１４によって台紙１０の裏面側の複合細線画像担持シート２０上に重ねる様に折り返し、その際に、窓枠シート４０の台紙１０側とは反対側の天地両側に張り出した部分を、台紙１０と複合細線画像担持シート２０の連接桿部２４との間に挿入するようにして、台紙１０と窓枠シート４０とを接合部４２、４３において接合すると、本発明の第５の実施形態の可変画像表示体が完成する（図３０）。
【００５８】
この展開図の構造によると、窓枠シート４０の表面に絵柄を印刷する場合には、複合細線画像担持シート２０の複合細線画像担持部２２の表面への複合細線画像２１の印刷と、窓枠シート４０の表面への絵柄の印刷とを、同一のシート材料の同一面に行うことができ、また、可変画像表示体を構成する各シート（スクリーン担持シート３０を除く）が１枚のシート材料の打ち抜き・折り曲げ加工によって形成されるので、製造が簡便であると共に、各シートの組み立て時に位置合わせに特別な工夫を要することなく、本発明の可変画像表示体を容易に製造することができるという利点もある。
【００５９】
この本発明の第５の実施形態の可変画像表示体も、前述した各実施形態の可変画像表示体の場合と同様に、その態様を種々変更して実施することができる。例えば、台紙１０に連接した操作片部１２の横幅（折曲線１１と折曲線１３との距離）を、台紙１０の横幅（折曲線１１と折曲線１４との距離）と略同幅とするか、若しくは組立後の操作片部５２の左側に当該操作片部５２と合わせた横幅が台紙１０の横幅と略同幅となる様な延長片（図示せず）を延設して表紙状に構成することによって、表紙の開閉操作により可変画像表示部を表紙で覆ったり露出させたりすることができ、かつそれと同時に可変画像表示部に表示される画像を変化させることのできる２つ折りカード状の可変画像表示体を得ることができる。或いは逆に、台紙１０の操作片部５２側とは反対側の端部もしくは天地側のいずれかの端部に、台紙１０と略同大、もしくは台紙１０と操作片部５２とを合わせた形状と同大の表紙片を折り曲げ可能に連接することによって、表紙の開閉操作により可変画像表示部を表紙で覆ったり露出させたりすることが可能な２つ折りカード状の可変画像表示体を得ることができる。さらには、係る可変画像表示体を冊子体の一部の頁として綴じ込んだり、前述した２つ折りカード状の可変画像表示体を複数用意しておき、隣接する可変画像表示体の裏面同士を接合しつつ順次綴じ合わせることによって、各見開き頁に可変画像表示体が設けられた絵本とすることもできる。
【符号の説明】
【００６０】
１０      台紙
１１      折曲線
１２      操作片部
１３      折曲線
１４      折曲線
２０      複合細線画像担持シート
２１      複合細線画像（複合細線画像担持部）
２２      複合細線画像担持部
２３      接続部
２４      連接桿部
２５      切欠部
２６      折曲線
２７      操作片部
３０      スクリーン担持シート
３１      スクリーン
３２      透視部
３３      隠蔽部
３４      接続部
３５      連接桿部
３６      切欠部
３７      折曲線
３８      操作片部
４０      窓枠シート
４１      窓部
４２      接合部（接着剤）
４３      接合部（接着剤）
４４      開口部
５０      ヒンジ機構
５１      折曲線
５２      操作片部
６０      隙間
【図１】
2010181772.tif 000003
【図２】
2010181772.tif 000004
【図３】
2010181772.tif 000005
【図４】
2010181772.tif 000006
【図５】
2010181772.tif 000007
【図６】
2010181772.tif 000008
【図７】
2010181772.tif 000009
【図８】
2010181772.tif 000010
【図９】
2010181772.tif 000011
【図１０】
2010181772.tif 000012
【図１１】
2010181772.tif 000013
【図１２】
2010181772.tif 000014
【図１３】
2010181772.tif 000015
【図１４】
2010181772.tif 000016
【図１５】
2010181772.tif 000017
【図１６】
2010181772.tif 000018
【図１７】
2010181772.tif 000019
【図１８】
2010181772.tif 000020
【図１９】
2010181772.tif 000021
【図２０】
2010181772.tif 000022
【図２１】
2010181772.tif 000023
【図２２】
2010181772.tif 000024
【図２３】
2010181772.tif 000025
【図２４】
2010181772.tif 000026
【図２５】
2010181772.tif 000027
【図２６】
2010181772.tif 000028
【図２７】
2010181772.tif 000029
【図２８】
2010181772.tif 000030
【図２９】
2010181772.tif 000031
【図３０】
2010181772.tif 000032
【図３１】
2010181772.tif 000033
【図３２】
2010181772.tif 000034